(57)【要約】【課題】安全性や機能性等の従来の長所を維持しつつ、廉価な生ごみ処理機を提供すること。【解決手段】生ごみを収納する生ごみ収納容器２と、ヒーター７と送風ファン８にて構成され前記生ごみ収納容器２内の生ごみを加熱乾燥させる加熱手段６とを備え、前記ヒーター７と送風ファン８を、並列且つ前記生ごみ収納容器に対して略直交に配すると共に、前記ヒーター７を前記送風ファン８の下流側略前方に配置する生ごみ処理機とした。これにより、蓋にヒーター７、送風ファン８等の機能部品を設けることなく、簡略な構成で廉価な生ごみ処理機を提供できる。【選択図】図１
2007021323.tif 000002
【特許請求の範囲】
【請求項１】
生ごみを収納する生ごみ収納容器と、ヒーターと送風ファンにて構成され前記生ごみ収納容器内の生ごみを加熱乾燥させる加熱手段とを備え、前記ヒーターと送風ファンを、並列且つ前記生ごみ収納容器に対して略直交に配すると共に、前記ヒーターを前記送風ファンの下流側略前方に配置した生ごみ処理機。
【請求項２】
生ごみ収納容器内を循環する熱風の吸込み口と吹出し口を、生ごみ収納容器の形状に沿わせた請求項１記載の生ごみ処理機。
【請求項３】
生ごみ収納容器を、本体に着脱自在とすると共に、前記生ごみ収納容器に簡易フィルターを有する熱風の吸込み口と吹出し口を設け、前記生ごみ収納容器を本体に装着した際に、熱風の循環経路が形成される請求項１または２記載の生ごみ処理機。
【請求項４】
生ごみから発生する蒸気の臭気を脱臭する脱臭装置を設け、前記脱臭装置に連通する通路をヒーター近傍に設けた請求項１〜３のいずれか１項記載の生ごみ処理機。
【請求項５】
生ごみ収納容器を本体の前方に傾斜して設けた請求項１〜４のいずれか１項記載の生ごみ処理機。
【請求項６】
生ごみ収納容器上方に開閉可能な蓋を設け、前記蓋に開閉可能なカバーによって形成された空間を設けた請求項１〜５のいずれか１項記載の生ごみ処理機。
【発明の詳細な説明】
【技術分野】
【０００１】
本発明は、台所等で出る生ごみを処理する生ごみ処理機に関するものである。
【背景技術】
【０００２】
従来の生ごみ処理機を図８、図９を用いて説明する。
【０００３】
図８、図９に示されるように、生ごみ処理機本体１は、着脱自在で生ごみを収納する生ごみ収納容器２を備え、生ごみ収納容器２の底面に生ごみを攪拌する攪拌刃３を備えている。攪拌刃３は、生ごみ収納容器２の下方に備えた駆動手段４によって駆動している。駆動手段４は、攪拌刃３を間欠的に動作させ、生ごみを粉砕し蒸気の発生を促すことを繰り返している。駆動手段４及び後に説明する電気負荷の全ては、生ごみ処理機の後段に設けた制御手段５によってコントロールされている。生ごみ収納容器２の上部に生ごみを加熱する加熱手段６が配してあり、加熱手段６は乾燥用ヒータ７及び、遠心ファン８から構成され、熱風を生ごみに当てて生ごみの表面を加熱する。遠心ファン７は蓋ベース面４０に取付けられた乾燥モーター１６により回転駆動され、乾燥モーター１６は上方に蓋２０内部の冷却と乾燥モーター１６の冷却を兼ね上方から下方への空気の流れを作る小型のプロペラファン４１も回転駆動している。また、プロペラファン４１の周囲には上方の吸気側と下方の排気側を仕切るリング状のフランジを持つ冷却風吸引カバー４２が設けられており、その吸気側は蓋ベース面４０に固定して装着され蓋の外殻を形成する蓋カバー２１とで蓋２０前方の開口部に連通するトンネルを形成している。
【０００４】
また、生ごみ収納容器２の上方には吸気口２２が設けられており、この吸気口２２は生ごみ収納容器２を介して排気パイプ１８を通じて脱臭手段１７に接続されている。これら生ごみ収納容器２の上方の加熱手段６や、吸気口２２や排気パイプ１８は、蓋ベース面４０に取付けられており、蓋ベース面４０は蓋カバー２１に覆われており閉時に生ごみ収納容器２を密閉する。脱臭手段１７は、加熱されて臭気を脱臭する触媒２３と、触媒２３を加熱する触媒加熱ヒーター２４より構成されている。脱臭手段１７の後段は、駆動手段４の下方に備えた排気手段２６を経て、排気減速部４３を介し排気口２５より外部へ排出される。
【０００５】
排気手段２６は、ターボファン２７、ターボファン２７の吸気口面に設けられ、本体１内を冷却するためのシロッコファン２８、ターボファン２７を囲む排気ファンケース２９、ターボファン２７を駆動させる排気モーター３０、ターボファン２７と近接させることによって、ターボファン２７の吸引圧と吸引風量を発生させるファンガイド３１から構成されており、ファンガイド３１は、脱臭手段１７の下流側に連通している。
【０００６】
また、排気手段２６は、ターボファン２７の回転方向が本体１の接地面に対して垂直になる向きに取り付けられており、駆動手段４の下方に配置されている。また生ごみ収納容器２の高さは、生ごみ投入時や生ごみ収納容器２の着脱時に中腰になることない高さに設定している。
【０００７】
以上のように構成された生ごみ処理機について、以下その動作、作用を説明する。
【０００８】
蓋を開け生ごみ収納容器２に生ごみを投入し、蓋を閉めスイッチを入れ本体１の運転を開始させると、乾燥用ヒータ７で加熱された空気が遠心ファン８によって生ごみ収納容器２内に送り出され、生ごみを加熱する。加熱された生ごみより発生した蒸気は、排気手段２６であるターボファン２７によって吸引されることにより、排気パイプ１８を介して脱臭手段１７に至る。同時に吸気口２２より外気が生ごみ収納容器２内に流入する。
【０００９】
そして脱臭手段１７の加熱手段である触媒加熱ヒータ２４が作動し、触媒２３が加熱され、生ごみ収納容器２内の臭気を含む空気を脱臭した後、冷却用のシロッコファン２８によって室温程度の温度まで冷却して、排気減速部４３にて流速をおとし、排気音を低減させた後、排気口２５より本体１の外部に排出される。同時に生ごみは、駆動手段４によって回転する攪拌刃３により、攪拌・粉砕されながら乾燥され、乾燥終了後は、減量・細分化される。
【００１０】
また、蓋カバー２１内部と乾燥モーター１６は、プロペラファン４１の作用で蓋前方の開口部より冷却風吸引カバー４２と蓋カバー２１で構成されたトンネルを介して吸引された外気によって効率よく冷却される（例えば、特許文献１参照）。
【特許文献１】特開２００４−０２７６４３号公報
【発明の開示】
【発明が解決しようとする課題】
【００１１】
しかしながら上記のような従来の構成は、開閉可能な蓋部に加熱手段であるヒーター、遠心ファン、モーター等や、蓋内部に加熱手段が存在する為、蓋そのものも冷却する構成が必要であったり、蒸気の経路が形成されていたりと蓋部がかなり複雑且つ重量のあるものになっていた。重量をカバーする為、蓋開閉の操作性を考慮したダンパーや強力なバネが必要となり、また蓋を支える回動部にも電気配線や蒸気の経路の形成が必要であった。よって、結果的に蓋が大型になり、部品点数が多くなる等、複雑且つ高価な構成になっていた。
【００１２】
本発明は上記課題を解決するもので、安全性や機能性や生ごみを乾燥する性能や使い勝手や省設置面積など従来例の長所を維持しつつ、蓋部より機能部品を取り払い本体に配置する事で構成を簡略化し、廉価な生ごみ処理機を提供することを目的とする。
【課題を解決するための手段】
【００１３】
上記課題を解決するために本発明は、生ごみを収納する生ごみ収納容器と、ヒーターと送風ファンにて構成され前記生ごみ収納容器内の生ごみを加熱乾燥させる加熱手段とを備え、前記ヒーターと送風ファンを、並列且つ前記生ごみ収納容器に対して略直交に配すると共に、前記ヒーターを前記送風ファンの下流側略前方に配置する生ごみ処理機とした。
【００１４】
これにより、蓋に機能部品を設けることなく簡略な構成で廉価な生ごみ処理機を提供できる。さらに生ごみ収納容器内の生ごみの乾燥効率がよくなる。また万が一、送風ファンがロックした場合でも、送風ファンの片面のみ過熱されて偏った変形をする事もなく、機能性を維持でき、廉価で安全且つ機能的な生ごみ処理機を提供できる。
【発明の効果】
【００１５】
本発明によれば加熱手段であるヒーターと送風ファンが、並列且つ生ごみ収納容器に対し略直交に配されているので、本体に設ける事ができ、蓋に機能部品を設けることなく簡略な構成で廉価な生ごみ処理機を提供できる。さらにヒーターの配置を送風ファンの下流側に位置しているので、ヒーターを通過した熱風が即、生ごみ収納容器内の生ごみに伝わる。またヒーターが送風ファンを並列に配置する事で、万が一送風ファンがロックされた場合に、送風ファンの片面のみ過熱され偏った変形をする事が懸念されるが、略前方に配置する事でヒーターによる伝導熱が直接伝わり難くし、万が一の状態でも機能性を維持できる生ごみ処理機を提供できる。
【発明を実施するための最良の形態】
【００１６】
第１の発明は、生ごみを収納する生ごみ収納容器と、ヒーターと送風ファンにて構成され前記生ごみ収納容器内の生ごみを加熱乾燥させる加熱手段とを備え、前記ヒーターと送風ファンを、並列且つ前記生ごみ収納容器に対して略直交に配すると共に、前記ヒーターを前記送風ファンの下流側略前方に配置したので、加熱手段であるヒーターと送風ファンが、並列且つ生ごみ収納容器に対し略直交に配されているので、本体に設ける事ができ、蓋に機能部品を設けることなく簡略な構成で廉価な生ごみ処理機を提供できる。さらにヒーターの配置を送風ファンの下流側に位置しているので、ヒーターを通過した熱風が即、生ごみ収納容器内の生ごみに伝わる。またヒーターが送風ファンを並列に配置する事で、万が一送風ファンがロックされた場合に、送風ファンの片面のみ過熱され偏った変形をする事が懸念されるが、略前方に配置する事でヒーターによる伝導熱が直接伝わり難くし、万が一の状態でも機能性を維持できる。よって廉価で安全且つ機能的な生ごみ処理機を提供できる。
【００１７】
第２の発明は、生ごみ収納容器内を循環する熱風の吸込み口と吹出し口を、生ごみ収納容器の形状に沿わせたので、吹出し口から生ごみ収納容器間を最短距離で結び、熱ロスを最小限にできる。また生ごみ収納容器が略円形の場合、省スペースで第１発明のヒーターの配置を容易に実現できるので、廉価で省設置面積の生ごみ処理機を提供できる。
【００１８】
第３の発明は、生ごみ収納容器を、本体に着脱自在とすると共に、前記生ごみ収納容器に簡易フィルターを有する熱風の吸込み口と吹出し口を設け、前記生ごみ収納容器を本体に装着した際に、熱風の循環経路が形成されるので、生ごみ収納容器を樹脂製にすることで、吸込み口と吹出し口を一体で形成し、簡易フィルターをはめ込む事で廉価な構成を提供できる。また、生ごみ収納容器の装着時は簡易フィルターで加熱手段部はごみの侵入から保護され、生ごみ収納容器の脱時にはお手入れ可能となる。また、吸込み口や吹出し口もお手入れしやすい。よって廉価で安全且つ使い勝手の良い生ごみ処理機を提供できる。
【００１９】
第４の発明は、生ごみから発生する蒸気の臭気を脱臭する脱臭装置を設け、前記脱臭装置に連通する通路をヒーター近傍に設けたので、蒸気が加熱された状態で脱臭装置に流入するので、脱臭しやすい。また、脱臭装置には脱臭能力や維持を考慮して、加熱式の酸化触媒を用いるのが一般的だが、加熱された状態で脱臭装置に流入するので熱ロスが少ない。よって廉価で機能的な生ごみ処理機を提供できる。
【００２０】
第５の発明は、生ごみ収納容器を本体の前方に傾斜して設け、前記生ごみ収納容器と加熱手段を略直交に設けたので、循環する熱風に乗って吸込み口に貼り付いたごみをお手入れする際、ごみが生ごみ収納容器内に落下する。また吸込み口に貼り付いた大きいごみは生ごみ収納容器内に自然落下する。また蓋を小型化できると伴に、本体の上部の後方にスペースができるので、加熱手段の大型化等の能力アップが可能となる。よって廉価で使い勝手も良く少設置面積で機能性にも優れた生ごみ処理機を提供する。
【００２１】
第６の発明は、生ごみ収納容器上方に開閉可能な蓋を設け、前記蓋に開閉可能なカバーによって形成された空間を設けたので、生ごみ収納容器の熱が蓋から放熱されるのを防ぐ断熱効果を得る。また蓋からの熱を利用して小物の乾燥室として利用でき、この空間に布巾等を置くと乾燥させる事ができる。よって廉価で使い勝手の良い生ごみ処理機を提供できる。
【００２２】
以下、本発明の実施の形態について、図面を参照しながら説明する。なお、本実施の形態によって本発明が限定されるものではない。
【００２３】
（実施の形態１）
図１は、本発明の第１の実施の形態における生ごみ処理機の側断面図である。図２は、同生ごみ処理機の要部平断面図である。図３は、同生ごみ処理機の正面断面図である。図４は、同生ごみ処理機の別な例の側断面図である。
【００２４】
図１から図３に示されるように、生ごみ処理機本体１は、着脱自在で生ごみを収納する生ごみ収納容器２を備え、生ごみ収納容器２の底面に生ごみを攪拌する攪拌刃３を備えている。攪拌刃３は、生ごみ収納容器２の下方に備えた駆動手段４によって駆動している。駆動手段４は、攪拌刃３を間欠的に動作させ、生ごみを粉砕し蒸気の発生を促すことを繰り返している。駆動手段４及び後に説明する電気負荷の全ては、生ごみ処理機の後段に設けた制御手段５によってコントロールされている。
【００２５】
生ごみ収納容器２に直交する本体１上部には生ごみを加熱する加熱手段６が配してあり、加熱手段６は並列に並んだ乾燥用ヒーター７とシロッコファン８より形成され、シロッコファン８を覆うファンケース９のシロッコファン８下流側の前方部に乾燥用ヒーター７を配している。乾燥用ヒーター７には板材を略Ｕ字形状に曲げた放熱フィン１０が、乾燥用ヒーター７の上流側を略Ｕ字形状で囲う様に装着されている。ファンケース９の生ごみ収納容器２側には、シロッコファン８の吸込み部前方に吸込み口１１を乾燥用ヒーター７の前方に吹出し口１２を設けたヒーターカバー１３が着脱自在に装着されており通気性は保ちつつ大型のごみの侵入や指で乾燥用ヒーター７やシロッコファン８を触るのを防いでいる。またヒーターカバー１３は、生ごみ収納容器２形状に沿った形状とし、吸込み口１１や吹出し口１２と生ごみの距離を最短にしている。
【００２６】
またファンケース９の乾燥用ヒーター７の近傍の下流にあたる上面には温度コントロール用センサー１４が、乾燥用ヒーター７の上方の上面には温度過昇防止装置１５として温度ヒューズが装着されている。ここでシロッコファン８はファンケース９に取付けられた乾燥モーター１６により回転駆動される。またファンケース９の乾燥用ヒーター７近傍から脱臭装置１７に連通する排気パイプ１８を設け、途中に脱臭装置１７に蒸気を送込む為に設けた第２シロッコファン１９を設けている。第２シロッコファン１９とシロッコファン８は樹脂製で一体に形成されており乾燥用モーター１６によって駆動されている。生ごみ収納容器２の上方には開閉可能な蓋２０を設け、蓋２０には開閉可能な蓋カバー２１によって形成された空間が設けられている。蓋２０は閉時に生ごみ収納容器２を密閉する。そしてファンケース９の乾燥用モーター１６の軸部には吸気口２２が設けられており、この吸気口２２は生ごみ収納容器２を介して排気パイプ１８を通じて脱臭手段１７に接続されている。脱臭手段１７は、加熱されて臭気を脱臭する触媒２３と、触媒２３を加熱する触媒加熱ヒーター２４より構成されている。脱臭手段１７の後段は、排気口２５より外部へ排出される。
【００２７】
以上のように構成された生ごみ処理機について、以下その動作、作用を説明する。
【００２８】
蓋２０を開け生ごみ収納容器２を取り出し、シンクや三角コーナー等の生ごみが溜まっている場所の近くに置く。生ごみ収納容器２に生ごみを投入し再び本体１に装着する。このとき蓋２０には機能部品が全く無いので、蓋の開閉動作が非常に楽で使い勝手がよい。次に蓋２０を閉め、スイッチを入れ本体１の運転を開始させると、本体１に設けたファンケース９内の乾燥用ヒーター７と放熱フィン１０で加熱された熱風が乾燥モーター１６によって駆動するシロッコファン８によって吹出し口１２を介して生ごみ収納容器２内に送り出され、生ごみを加熱し再度吸込み口１１よりファンケース９内に流入し、熱風の循環を始める。循環する熱風の温度はセンサー１４と制御手段５によって温度コントロールされ、吹出し口１２は生ごみ収納容器２に近接しているので、温度管理された熱風を生ごみに送る事ができる上に、熱風が生ごみに到達する距離が短いので、熱ロスを最小限に抑えられる。また乾燥用ヒーター７には廉価な部品ではあるが放熱フィン１０が装着されているので、循環風に乗った乾燥した浮遊ごみも略Ｕ字形状の放熱フィン１０に沿って流れて堆積しないので、発煙等の原因となる乾燥用ヒーター７の表面へのごみの付着や堆積を防止する。更に、乾燥用ヒーター７の熱を効率よく放熱する事ができ、シロッコファン８ロック等の異常時もヒーター表面の異常加熱も抑えることができる。
【００２９】
加熱された生ごみより発生した蒸気は、循環する熱風に乗り循環を繰り返すが、一部第２シロッコファン１９に吸引されることにより、排気パイプ１８を介して脱臭手段１７に流入する。同時に吸気口２２より新鮮な外気が循環する熱風と伴に生ごみ収納容器２内に流入する。
【００３０】
そして排気パイプ１８を介して脱臭手段１７に流入した蒸気は触媒加熱ヒーター２４により加熱された触媒２３で脱臭した後、排気口２５より本体１の外に排出されるが、排気パイプ１８が乾燥用ヒーター７近傍に設けられているので、蒸気は加熱された状態で脱臭装置１７に流入でき、再度加熱するエネルギーを抑えられる為、熱効率がよい。
【００３１】
また生ごみは、駆動手段４によって回転する攪拌刃３により、攪拌・粉砕されながら乾燥され、乾燥終了後は、減量・細分化される。
【００３２】
また安全性について、使用者が誤って加熱手段を触らないように且つ、乾燥されたごみや異物が乾燥用ヒーター７やシロッコファン８に触れ故障を誘発しないように、ファンケース９内部をヒーターカバー１３によって覆っているが、万が一ヒーターカバー１３を通過した異物がファンケース９内に侵入し、シロッコファン８をロックした場合についての動作を説明する。シロッコファン８がロックすると熱風が作り出せないので温度センサー１４の検知する温度が上昇しない。よって乾燥用ヒーター７には通電状態が続き乾燥用ヒーター７の周囲のみ高温となる。本実施の形態では、乾燥用ヒーター７に放熱フィン１０が装着されているので、いかなる場合もヒーター熱を効果的に放熱し乾燥用ヒーター７そのものの異常加熱を抑えているので、乾燥用ヒーター７が危険な状態になる可能性はきわめて低い。
【００３３】
また周辺の部位が熱変形等を起し危険な状態にないようにする為に、乾燥用ヒーター７の上方に設けた温度過昇防止装置１５が温度上昇を検知して作動し、乾燥用ヒーター７の通電を止めるので、周囲の部位も安全性を確保できる。また乾燥用ヒーター７がシロッコファン８の略前方に配置する事で、シロッコファン８のロック時でも乾燥用ヒーター７による伝導熱が直接伝わり難くい。よってシロッコファン８を樹脂製にしてもシロッコファン８ロック時でも変形することは無い廉価で安全かつ機能的な生ごみ処理機を提供できる。
【００３４】
またお手入れの際には、ヒーターカバー１３を取る事によってファンケース９内に付着したごみや汚れを容易にお掃除できる。
【００３５】
また蓋２０に設けた開閉可能な蓋カバー２１によって形成された空間は、生ごみ収納容器２の熱が蓋２０から放熱されるのを防ぐ断熱効果があるのと同時に、この空間に布巾等を置くことで乾燥させる事ができる。よって廉価で使い勝手の良い生ごみ処理機を提供できる。また蓋２０からの熱を利用して小物の乾燥室として利用でき、この空間に布巾等を置くと乾燥させる事ができる。
【００３６】
よって蓋２０内の機能部品の無い簡単な構成で、安全性や機能性や生ごみを乾燥する性能や使い勝手や省設置面積など従来例の長所を維持しつつ、廉価な生ごみ処理機を提供できる。
【００３７】
なお、図４のように脱臭装置１７前方に設けた第２シロッコファン１９の変わりに従来例のように脱臭装置１７の後方に排気手段２６（ターボファン２７、ターボファン２７の吸気口面に設けられ、本体１内を冷却するための冷却用シロッコファン２８、ターボファン２７を囲む排気ファンケース２９、ターボファン２７を駆動させる排気モーター３０ターボファン２７と近接させることによって、ターボファン２７の吸引圧と吸引風量を発生させるファンガイド３１から構成されている。）を設けても、廉価性の効果はやや薄くなるが、他は実施例と同等の効果を得る事は言うまでも無い。
【００３８】
（実施の形態２）
図５は、本発明の第２の実施の形態における生ごみ処理機の側断面図である。以下、上記実施の形態１と同一構成部品については同一符号を付して説明を省略する。
【００３９】
図５において、生ごみ収納容器２を本体１の前方に傾斜して設け、生ごみ収納容器２と加熱手段６を略直交に設けた。
【００４０】
以上のように構成された生ごみ処理機について、以下その動作、作用を説明する。
【００４１】
循環する熱風に乗って吸込み口１１に貼り付いたごみをお手入れする際、ごみが生ごみ収納容器内２に落下する。また吸込み口１１に貼り付いた大きいごみは生ごみ収納容器内２に自然落下する。また蓋２０を小型化できると伴に、本体１の上部の後方にスペースができるので、乾燥用ヒーター７やシロッコファン８の大型化または乾燥モーター１６の大型化等の能力アップが可能となる。よって廉価で使い勝手も良く少設置面積で機能性にも優れた生ごみ処理機を提供する。よって廉価で使い勝手も良い生ごみ処理機を提供する。
【００４２】
（実施の形態３）
図６、図７は、本発明の第３の実施の形態における生ごみ処理機の側断面図である。以下、上記実施の形態１、２と同一構成部品については同一符号を付して説明を省略する。
【００４３】
図６、図７において、本体に着脱自在な生ごみ収納容器２に熱風の吸込み口１１と吹出し口１２を設け、吸込み口１１と吹出し口１２には簡易フィルター３２を設け、生ごみ収納容器２を本体１に装着した際に、熱風の循環経路が形成されるよう生ごみ収納容器２外面のフィルター外周にタイトパッキン３３を設けた。
【００４４】
以上のように構成された生ごみ処理機について、以下その動作、作用を説明する。
【００４５】
生ごみ収納容器２を樹脂製にすることで、吸込み口１１と吹出し口１２を一体で形成し、簡易フィルター３２をはめ込む事で廉価な構成を提供できる。また、生ごみ収納容器２の装着時はタイトパッキン３３によって循環風経路は形成され、簡易フィルター３２によって加熱手段６内へのごみの侵入は防止される。また生ごみ収納容器２の脱時にはお手入れ可能となる。また、吸込み口１１や吹出し口１２もお手入れしやすい。よって廉価で安全且つ使い勝手の良い生ごみ処理機を提供できる。
【産業上の利用可能性】
【００４６】
以上のように本発明にかかる生ごみ処理機は、安全性や機能性や生ごみを乾燥する性能や使い勝手や省設置面積など従来例の長所を維持しつつ、蓋部より機能部品を取り払い本体に配置する事で構成を簡略化し、廉価な生ごみ処理機を提供できる。
【図面の簡単な説明】
【００４７】
【図１】本発明の第１の実施の形態を示す生ごみ処理機の側断面図
【図２】同、生ごみ処理機の要部平断面図
【図３】同、生ごみ処理機の本体の斜視図
【図４】同、生ごみ処理機の他の例を示す側断面図
【図５】本発明の第２の実施の形態を示す側断面図
【図６】本発明の第３の実施の形態を示す側断面図
【図７】同、生ごみ処理機の本体の斜視図
【図８】従来の生ごみ処理機の側断面図
【図９】従来の生ごみ処理機の後方断面図
【符号の説明】
【００４８】
１    本体
２    生ごみ収納容器
６    加熱手段
７    乾燥用ヒーター（ヒーター）
８    シロッコファン（送風ファン）
１０  放熱フィン（フィン）
１１  吸込み口
１２  吹出し口
１３  ヒーターカバー（カバー）
１４  センサー
１５  温度過昇防止装置
１７  脱臭手段
１８  排気パイプ（通路）
１９  第２シロッコファン（第２送風ファン）
２０  蓋
２１  蓋カバー
３２  フィルター
３３  タイトパッキン
【図１】
2007021323.tif 000003
【図２】
2007021323.tif 000004
【図３】
2007021323.tif 000005
【図４】
2007021323.tif 000006
【図５】
2007021323.tif 000007
【図６】
2007021323.tif 000008
【図７】
2007021323.tif 000009
【図８】
2007021323.tif 000010
【図９】
2007021323.tif 000011